(57)【要約】【課題】無人で連続してばいじん中の重金属の溶出濃度をモニタリングし、この分析結果に基づいて安定化処理を行う。【解決手段】分析用のばいじんをサンプルする採取部と、採取部からのばいじんの一定量を秤量する定量部と、秤量した一定量のばいじんを計量する計量部と、秤量灰を溶出する溶出容器と、溶出容器中の溶出水を分析する分析部と、薬剤の投入量を制御する制御部を備え、制御部は、計量部で計量した計量値と溶出水量から溶出水の希釈率を算出し、分析対象の濃度と希釈率との関係から分析結果を補正し、補正した分析結果に基づいて薬剤の投入量を制御し、これにより、計量値に基づいてばいじんの分析結果を補正することによって、ばいじんの分析及び薬剤処理のための構成の簡易化を行う。【選択図】図１
2006320906.tif 000002
【特許請求の範囲】
【請求項１】
分析用のばいじんをサンプルする採取部と、
前記採取部からのばいじんの一定量を秤量する定量部と、
前記秤量した一定量のばいじんを計量する計量部と、
前記秤量灰を溶出する溶出容器と、
前記溶出容器中の溶出水を分析する分析部と、
前記計量部で計量した計量値と溶出水量から溶出水の希釈率を算出し、分析対象の濃度と希釈率との関係から分析結果を補正し、補正した分析結果に基づいて薬剤の投入量を制御する制御部を備えることを特徴とする、焼却炉のばいじん処理装置。
【発明の詳細な説明】
【技術分野】
【０００１】
本発明は、一般廃棄物や産業廃棄物の焼却炉において、焼却炉から排出される廃棄物の内、ばいじんを一般廃棄物として処理できるようにするための中間処理を施す処理装置に関する。
【背景技術】
【０００２】
ばいじんは、廃棄物の処理及び清掃に関する法律（廃棄物処理法）の改正法により特別管理一般廃棄物に指定され、厚生大臣の定める次に４つの方法の何れかによって中間処理を施さなければ一般廃棄物として埋め立て処分等をすることができない（厚生省告示第１９４号）。
【０００３】
上記４つの方法として、（１）溶融固化，（２）セメント固化，（３）薬剤処理，（４）酸その他の溶媒による安定化、が示されている。なお、ここで、ばいじんとは、電気集塵機やバグフィルタなどの処理集塵施設によって集められたものに限らず、ボイラーダストでの飛灰や溶融炉での飛灰なども含む意味で使用するものとする。
【０００４】
ごみが千数百度という高温で焼却される際、ゴミ中の重金属の一部はその高温によって揮散（蒸発）するが、これらは飛灰とともに集塵機で捕集される。そのため、ばいじん中には重金属が多く含まれることになる。ばいじんを埋め立て処分する際、ばいじんに含まれる重金属が溶出しないようにするのが上記の中間処理の目的である。
【０００５】
上記中間処理の内、薬剤処理法は設備面、維持管理面、技術の確立の面において優れている。
【０００６】
中間処理されたばいじん中の鉛，カドミウム，六価クロム，砒素，水銀，及びセレンの重金属に関して溶出基準が定められており、処分するためにはその基準を満たさなければならない。
【０００７】
又、この重金属の他に、ばいじん中に含まれる塩化水素を処理するために、排ガスライン中に消石灰を添加する。ばいじんを１０％水溶液にした場合、通常の場合のｐＨ値は９程度であるが、消石灰注入後の水溶液ではｐＨ値は１１〜１３程度となる。中間処理された場合の中の鉛は、ｐＨ値が１０程度のときに最も溶出しにくく、ｐＨ値がそれよりも高くなっても低くなって溶出し易くなることが知られている。消石灰をふくみアルカリ剤により排ガス処理を行う焼却施設で発生するばいじんは、その水溶液のｐＨ値が高いため、鉛の溶出が著しい。
【０００８】
一方、アルカリ剤による排ガス処理を行わない場合には、ばいじんの水溶液のｐＨ値は６〜１０程度を示すため、鉛及びカドミウムが溶出基準以上に検出される場合がある。そのため、薬剤処理法では、重金属が溶出しにくくなる重金属安定剤として液体キレートを添加すると共に、ｐＨ調整剤によるｐＨ調整を行っている。
【０００９】
法に定められた測定方法によれば、中間処理されたばいじんからの重金属の溶出量は、処理物を６時間かけて水に溶出させ、その上澄み液に酸処理及び溶媒抽出など処理を施した後、原子吸光分析により測定を行う。従って、このように長時間を要する分析結果をばいじんの処理装置にフィードバックさせても、時間遅れが大きすぎてばいじんの性状が変化してしまうおそれがあり、安定な中間処理を行うことができない。そのため、ばいじんの性状が変化しても重金属の溶出量が基準を越えないような過剰な一定量の液体キレート等の重金属安定剤を添加している。
【００１０】
又、中間処理後のｐＨ値を１０付近へ設定することによって、重金属の溶出を規定範囲内に抑えることができる場合もある。その場合にも、ばいじん及びその処理物は固体であるため、そのｐＨ値は容易に測定できない。そのため、現在は一定量のｐＨ調整剤を注入している。
【００１１】
図７は従来の焼却炉のばいじん処理装置において、ばいじんの分析を行う分析機構を説明するための概略ブロック図である。
【００１２】
図７において、分析前処理機構１０（二点鎖線で囲まれる部分）は、ばいじんサイロ２１から分析用のばいじんを採取する採取部５と、採取したばいじんから一定量を計量する計量部８と、計量した一定量のばいじんを用いて、分析用の溶出水を生成する溶出容器７と、計量部８内で飛散するばいじんを集める集塵機９と、計量部８で排出される残余灰をばいじんサイロ２１に回収するリターンコンベア１１を備える。
【００１３】
ここで、計量部８は微量切り出しが可能な振動フィーダ式計量機を用いることによって、秤量精度の向上を図っている。この振動フィーダ式計量機は、受入ホッパ８１と振動フィーダ式の定量機８２を備え、計量ホッパ８３及びホッパ８４、８５は、計量排出と残余排出で移動する。又、分析サンプルとして正量したばいじんは計量ホッパ８３、及びホッパ８５を介して溶出容器７に排出され、正量前後の残余したばいじんは計量ホッパ８３及びホッパ８４を介してリターンコンベア１１に排出される。
【発明の開示】
【発明が解決しようとする課題】
【００１４】
従来、薬剤処理では、薬剤の投入量を定めるために、各焼却場のばいじんを人為的に採取して環境分析業者にサンプルを送付し分析を依頼している。そして、得られた分析結果を用いて、安定化薬剤等の薬剤の投入量を、ばいじん中に含まれる重金属の最大濃度に対応できるように過剰投入し、安定化処理後の処理物から溶出する重金属の溶出濃度が規定値を越えないようにしている。
【００１５】
しかしながら、ばいじん中の重金属の採取及び分析は年１回程度であるため、連続的に運転されるごみ焼却場のばいじん中に含まれる重金属の濃度が急激に上昇したとしても、投入する薬剤量は一定であるため、その時点の処理物の溶出濃度は規定値を越える事態が懸念されている。
【００１６】
そのため、常時、無人で連続してばいじん中の重金属の溶出濃度をモニタリングし、この分析結果に基づいて安定化処理を行うことができる、自動ばいじん処理装置が求められている。
【００１７】
このような、自動ばいじん処理装置には種々の解決すべき課題があり、従来実現が困難であった。例えば、ばいじんには組成として、ＳｉやＣａ等の塩基度が高いものが多く含まれており、これらは吸湿度が高いため、粉体移送や計量の自動化が困難である。又、ばいじん中の重金属の溶出濃度を測定するために、サンプリングしたばいじんの一定量を計量する必要があり、定量化のために秤量精度を向上させるには微量切り出しが可能な振動フィーダ式計量機等を必要とするが、この振動フィーダ式計量機では、灰の付着や飛散により計量機のメンテナンスの経費が高くなり、安定した運転が困難であるという問題がある。さらに、従来の計量機では、計量灰と計量前後の残余灰を切り換えて排出するため複雑な切替排出機構が必要であり、装置が大型化するとうい問題がある。
【００１８】
又、外部環境に対するばいじんの影響を低減するには、密閉系のネジ式微量切り出し計量機が適しているが、この計量機では、排出粉体の固まり具合が異なり、ばらつきが大きくなるという問題がある。
【００１９】
そこで、本発明は前記した従来の焼却炉のばいじん処理装置の持つ問題点を解決し、無人による自動連続運転を行うことができる焼却炉のばいじん処理装置を提供することを目的とするものであり、この無人による自動連続運転を達成するためのより詳細な目的として、ばいじんの分析及び薬剤処理のための構成をより簡易なものとすることを目的とする。
【００２０】
無人で連続してばいじん中の重金属の溶出濃度をモニタリングし、この分析結果に基づいて安定化処理を行うことを目的とする。
【課題を解決するための手段】
【００２１】
本発明の焼却炉のばいじん処理装置は、上記目的を達成するためのばいじんの分析機構として、分析用のばいじんをサンプルする採取部と、採取部からのばいじんの一定量を秤量する定量部と、秤量した一定量のばいじんを計量する計量部と、秤量灰を溶出する溶出容器と、溶出容器中の溶出水を分析する分析部と、薬剤の投入量を制御する制御部を備え、制御部は、計量部で計量した計量値と溶出水量から溶出水の希釈率を算出し、分析対象の濃度と希釈率との関係から分析結果を補正し、補正した分析結果に基づいて薬剤の投入量を制御する。これにより、計量値に基づいてばいじんの分析結果を補正することによって、ばいじんの分析及び薬剤処理のための構成の簡易化を行う。
【００２２】
また、本発明の焼却炉のばいじん処理装置によれば、分析用のばいじんを採取する採取部と、採取部からのばいじんの一定量を秤量する定量部と、秤量した灰を溶出する溶出容器と、溶出容器中の溶出水を分析する分析部とを含み、少なくとも採取部と定量部を密閉状態とする構成とし、同一の排出口を通して計量灰と残余灰を溶出容器内に排出し、溶出容器は計量灰と残余灰を溶出水と共に排出を行う構成を含むことで、一定量のばいじんを求める計量機において、計量灰の排出の後、残余灰の排出を同一排出口から排出することによって、切替排出機構を必要としない計量機を構成する。又、計量機及びばいじんが灰状態にある部分を機密構造とすることによって、付着灰や飛散灰を軽減させる。
【００２３】
採取部は、固化処理等のためにばいじんを蓄積しているばいじんサイロ等の設備から分析用にばいじんを採取して分析部に移送を行う構成部分であり、空気輸送式サンプラーや循環ポンプ式サンプラー等を用いることができる。
【００２４】
定量部は、採取部で採取したばいじんから一定量の灰を秤量する構成部分であり、秤量した灰を溶出する溶出容器に排出する。
【００２５】
溶出容器は、ばいじんから溶出する重金属の濃度やＰアルカリ度の分析を行うための定量水を溜める容器であり、定量部で秤量した一定量の灰を含む溶出水の上澄み液を用いて分析を行い、分析後は溶出容器内に定量部に残る残余灰も投入し、計量灰と残余灰を溶出水と共に排出する。
【００２６】
分析部は、溶出容器中の溶出水に含まれる重金属の濃度やＰアルカリ度又はカルシウム溶出量を分析する構成部分であり、重金属の分析には原子吸光光度計やＩＣＰ（誘導結合プラズマ）装置を用いることによって、鉛、カドミウム、６価クロム、砒素、水銀、及びセレン等の重金属を測定することができる。Ｐアルカリ度の測定には、自動滴定装置が用いられる。ばいじん処理装置は、分析部の分析結果に基づいて、ばいじんを安定化させるための薬剤を添加し、重金属の溶出を抑えた状態でばいじんの排出処理を行う。
【００２７】
添加する薬剤としては、例えば、ばいじんの処理物のｐＨ値を重金属が溶出しにくい値とするためのｐＨ調整剤や、重金属の溶出を抑える重金属安定剤を用いることができる。ｐＨ調整剤として、硫酸バンド、ポリ鉄、塩化第２鉄等の水溶液を用いることができ、又、重金属安定剤として、液体キレート、無機系処理剤を用いることができる。ｐＨ調整剤の添加指標として、Ｐアルカリ度が用いられる。
【００２８】
上記構成の焼却炉のばいじん処理装置によれば、採取部はばいじんサイロ等から移送経路を通ってばいじんを分析用に採取し、定量部は採取したばいじんから一定量を秤量して溶出容器中に投入する。溶出容器中には一定量の水が注入されており、ばいじんを投入することによって、ばいじんに含まれる重金属が溶出水中に溶出する。この溶出水中の溶出される重金属の濃度やＰアルカリ度やカルシウム量を分析することによって、薬剤処理で添加する薬剤の量を適量に制御することができる。
【００２９】
ばいじんの分析に用いた計量灰、及び採取したばいじんの内で計量後に残った残余灰を同一の排出口を通して溶出容器内に排出する。溶出容器は計量灰と残余灰を溶出水と共に排出を行う。この計量灰と残余灰を同一の排出口を通して溶出容器内に排出する構成により、切替排出機構を用いることなく計量灰と残余灰の排出を行うことができる。又、上記構成、及び少なくとも採取部と定量部を密閉状態とする構成によって、ばいじんの移送経路を簡素化して付着灰や飛散灰を軽減することができる。計量灰と残余灰を溶出水と共に排出し、プラントの終端で汚染水を回収する構成とすることによって、残余灰を粉体搬送装置で回収する構成と比較して、回収に要する費用を軽減し、設備を簡略化することができる。
【００３０】
又、ばいじんの付着や飛散を軽減するための構成の一態様として、ばいじんの移送経路を加熱してばいじんの湿気を除去するヒーティング機構や、空気等の乾燥気体を吹き付けてばいじんの付着を防止するドライエアー機構を設けることもできる。
【００３１】
本発明の焼却炉のばいじん処理装置は、上記構成を達成するためのばいじんの他の分析機構として、分析用のばいじんをサンプリングする採取部と、採取部からのばいじんの一定量を秤量する定量部と、秤量した一定量のばいじんを計量する計量部と、計量灰を溶出する溶出容器と、溶出容器中の溶出水を分析する分析部と、分析部の分析結果に基づいて薬剤の投入量を制御する制御部を含むばいじんの分析機構を備えた構成とし、計量値及び定量溶出水量から得られる溶出水の希釈濃度に基づいて分析結果の補正を行う構成とする。
【００３２】
上記構成のばいじん処理装置は、前記した構成のばいじん処理装置が備える採取部、定量部、溶出容器、及び分析部に加えて、計量部と制御部を備える。計量部は、定量部で秤量したばいじんの質量を計量する構成部分であり、精密な秤に載せて排出した灰の量を減量式で秤量する構成を用いることができる。
【００３３】
制御部は、計量部で計量したばいじんの計量値と溶出容器の定量溶出水量から溶出水の希釈濃度を算出し、あらかじめ求めておいた重金属溶出濃度あるいはＰアルカリ度と溶出水の希釈濃度との関係から、重金属溶出濃度あるいはＰアルカリ度の補正を行い、この補正した値に基づいて薬剤の添加量を制御する。
【００３４】
このような簡易な構成によって、定量部の定量精度を高くすることなく、ばいじんの重金属溶出濃度やＰアルカリ度の測定精度を高めることができ、薬剤添加の制御精度を高めることができる。
【発明の効果】
【００３５】
本発明の焼却炉のばいじん処理装置によれば、ばいじんの分析及び薬剤処理のための構成をより簡易なものとすることができ、無人で連続してばいじん中の重金属の溶出濃度をモニタリングし、この分析結果に基づいて安定化処理を行い、無人による自動連続運転を行うことができる。
【００３６】
また、本発明の焼却炉のばいじん処理装置の形態によれば、ばいじんの移送経路において付着灰や飛散灰を軽減することができ、切替排出機構を要さず小型の計量機を構成することができる。
【発明を実施するための最良の形態】
【００３７】
以下、本発明の実施の形態を図を参照しながら詳細に説明する。図１は、本発明の焼却炉のばいじん処理装置の概略を説明するためのブロック図である。図１において、焼却炉のばいじん処理装置１は、ばいじんに薬剤を添加して廃棄物処理を行うばいじん処理機構２と、ばいじん処理機構２で添加する薬剤の量を調節するためにばいじんの溶出量やカルシウム量の検出を行う分析前処理機構３を備える。
【００３８】
ばいじん処理機構２は、焼却炉（図示しない）から粉体搬送されるばいじんをばいじんサイロ２１に集めて集積させ、固化装置２２において薬剤及び水を添加して重金属を安定化させる廃棄物処理を行い、灰ピット２７に廃棄する。
【００３９】
添加する薬剤としては重金属安定剤２５やｐＨ調整剤２６があり、重金属安定剤２５として液体キレート、無機系処理剤を用いることができ、ｐＨ調整剤２６として硫酸バンド、ポリ鉄、塩化第２鉄等の水溶液を用いることができ、それぞれポンプ２３，２４を通して添加量の調節が行われる。
【００４０】
分析前処理機構３は、採取計量部４と分析部３１と制御部３２を備える。採取計量部４は、ばいじんサイロ２１から分析用のばいじんを採取する採取部５と、採取したばいじんから一定量を秤量し、秤量したばいじんの質量を計量する計量部６と、計量後のばいじんを用いて分析用の溶出水を生成し排出を行う溶出排出部７とを含む。溶出排出部７の溶出容器は、所定量の水に計量したばいじんを投入してばいじんの溶出水を生成する容器である。分析部３１は、この溶出容器７内の溶出水を分析して、溶出した重金属の濃度やＰアルカリ度を求め、制御部３２は採取，計量，分析を行い、分析結果に基づいて薬剤の添加量を制御する。制御部３２の制御信号はポンプ２３，２４に送られ、重金属安定剤２５やｐＨ調整剤２６の添加量の調整が行われる。
【００４１】
なお、溶出容器７内には、計量されたばいじんに加えて、計量機内に残っている残余ばいじんを加え、溶出水と共に排出する。
【００４２】
なお、採取部５は固化処理等のためにばいじんを蓄積しているばいじんサイロ等の設備から分析用にばいじんを採取して分析部に移送を行う構成部分であり、空気輸送式サンプラーや循環ポンプ式サンプラー等を用いることができる。
【００４３】
又、ばいじんの移送経路に、移送経路を加熱してばいじんの湿気を除去するヒーティング機構や、空気等の乾燥気体を吹き付けてばいじんの付着を防止すドライエアー機構を設けることもできる。
【００４４】
図２は、本発明の焼却炉のばいじん処理装置の採取計量部４の構成を説明するための図である。図２において、採取計量部４は、採取部５と計量部６と溶出排出部７とを含む。
【００４５】
採取部５は、ばいじんサイロ２１から分析用のばいじんを採取する機構であり、図示する構成では図１の循環ポンプ５２又は図２の空気式サンプラーによってばいじんサイロ２１との間で間欠循環や採取を行ってばいじんの経路を形成し、ホッパ５１内にばいじんを採取する。
【００４６】
計量部６は、一定量のばいじんを秤量し、秤量したばいじんの正確な量を計量する機構である。一定量のばいじんを秤量する部分は、ホッパ５１からばいじんを受ける秤量ホッパ６１と、該秤量ホッパ６１内に溜められたばいじんから所定量のばいじんを排出秤量する秤量機６２を備える。秤量機６２は、精密な秤に載せて排出した灰の量を減量式で秤量する構成を用いることができる。
【００４７】
ばいじんを計量する部分は、秤量機６２で秤量したばいじんを受け、ばいじんの質量を計量する計量ホッパ６３と、計量ホッパ６３内のばいじんを受けて、溶出排出部７に排出する排出ホッパ６４を備える。計量ホッパ６３で秤量したばいじんの質量を計量することによって、秤量機６２において高い定量精度を要することなく、ばいじんの排出量から溶出水の分析値の濃度補正を行うことができる。
【００４８】
排出ホッパ６４は、計量したばいじんを受けると共に、この計量操作の後、秤量ホッパ６１に残っているばいじんの残余灰を受け、両ばいじんを溶出排出部７に排出する。
【００４９】
又、秤量機６２は高い定量精度を要しないため、簡易な構成のネジ式排出機を用いることができ、小型で廉価の秤量機の選択が可能となる。
【００５０】
さらに、計量部６を密閉容器内に収納する構成とすることによって、外部への灰の飛散を防止することができる。
【００５１】
溶出排出部７は、所定量の水を溜め、所定量の水内に計量部６で計量したばいじんを投入して溶出水を生成する溶出容器７１と、該溶出水を攪拌する攪拌機７２と、溶出水を排出する排出バルブ７３を備える。溶出容器７１内で生成される溶出水は、水量が所定量に設定され、又投入されるばいじんの量は計量部６で正確に計量されるため、その希釈率を正確に求めることができる。
【００５２】
希釈された溶出水は分析部３１で分析され、溶出するばいじんの重金属の濃度やＰアルカリ度の測定が行われる。次に、本発明の焼却炉のばいじん処理装置の動作について図３のフローチャートを用いて説明する。
【００５３】
ばいじんを図示しないばいじんの移送経路を経て、ばいじんサイロ２１内にサンプリングしておく（ステップＳ１）。採取部５は、ばいじんサイロ２１からばいじんをホッパ５１に採取し（ステップＳ２）、採取したばいじんを秤量ホッパ６１に受け、秤量機６２により所定量のばいじんを秤量する（ステップＳ３）。計量ホッパ６３は、排出機構によって排出されたばいじんの質量を秤量機６２によって計量する。これによって、排出にばらつきがある場合にも、正確なばいじんの量を知ることができる（ステップＳ４）。
【００５４】
計量ホッパ６３で排出したばいじんを、排出ホッパ６４を通して溶出容器７１内に排出する（ステップＳ５）。溶出容器７１内には、所定量の水が溜められており、投入されたばいじんを攪拌機７２で攪拌して溶出水を生成する。溶出水には、ばいじん中に含まれる重金属が溶出し、その溶出濃度はばいじん中に含まれる重金属量に対応したものとなる。このとき、溶出容器７１内の水の量を所定量とし、投入するばいじんの量を計量機で計量することによって、正確な希釈率を求めることができる（ステップＳ６）。分析部３１はこの溶出水を取り出して分析し、溶出した重金属の濃度やＰアルカリ度を求める（ステップＳ７）。この後、ステップＳ２０で希釈率に基づいて濃度補正を行った後、 ステップＳ８，９でばいじんを安定化させるための処理を行い、ステップＳ１０，１１，１２でばいじんの排出処理を行う。
【００５５】
なお、ステップＳ２０については、図６のフローチャートを用いて説明する。ばいじんの安定化処理において、ばいじんからの重金属の溶出特性は、溶出水の希釈率によって異なることが明らかになり、ばいじんを安定化させるために添加する重金属安定剤やｐＨ調整剤等の薬剤は、分析濃度を基準としてその添加量を調節している。従って、希釈率が変化した場合には、前記ステップＳ７で測定した重金属の濃度やＰアルカリ度を、その希釈率に応じて補正する必要がある。そこで、希釈率に基づいて重金属濃度やＰアルカリ度の補正処理を行い（ステップＳ２０）、補正した濃度やＰアルカリ度に基づいて薬剤の添加量を制御し（ステップＳ８）、固化処理を行う（ステップＳ９）。
【００５６】
又、ばいじんの排出処理では、秤量の後に秤量ホッパ６１内に残っている残余灰を排出ホッパ６４を通して溶出容器７１内に排出する。これによって、溶出容器７１内には採取されたばいじんが全て投入されることになる（ステップＳ１０）。このばいじんが投入された溶出容器７２を洗浄処理し（ステップＳ１１）、溶出容器内の液体を排出バルブ７３を通して排出する。これによって、採取されたばいじんは洗浄水と共に排出される（ステップＳ１２）。
【００５７】
上記処理を所定の周期で繰り返したり、設定時間毎に行い、得られた重金属濃度やＰアルカリ度に基づいて重金属安定剤やｐＨ調整剤の添加量の調整を行うことによって、ばいじん処理の自動化及び無人化を行うことができる。
【００５８】
図４は、溶出水の希釈率と溶出する重金属の濃度及びＰアルカリ度との関係を示す図である。なお、図４では、重金属として鉛（Ｐｂ）の例を示している。本出願人は、溶出水の希釈率と溶出する重金属の濃度及び溶出水のＰアルカリ度との図４に示すような所定の特性関係があることを確認し、一定量の溶出水に投入したばいじん量が変化して希釈率が変化しても、測定した重金属濃度やＰアルカリ度に所定の比率で濃度補正することによって、適正濃度を求めることを特徴としている。
【００５９】
本発明ではこの関係を用いて重金属濃度やＰアルカリ度の補正率を求めて、重金属濃度やＰアルカリ度の補正を行っている。なお、Ｐアルカリ度は、ＪＩＳ規格Ｋ０１０１の用水試験で規定されたものであり、Ｐアルカリ度を自動的に測定する自動適定装置が市販されている。
【００６０】
図５は、図４に示す関係を用いた補正を説明するための図であり、図６はこの補正を説明するフローチャートである。なお、図５ではＰｂの濃度補正について説明しているが、Ｐアルカリ度についても同様に補正することができる。又、図６のフローチャートは、図３のフローチャートのステップＳ２０に対応するものである。
【００６１】
ばいじんの固化処理に用いる薬剤の添加量は、濃度補正を行った後の濃度に応じて調整し、その濃度は溶出水の希釈率に応じて変化する。希釈率は、一定量の定量水に投入されるばいじんの量で定まるものであり、計量されたばいじん量に重量誤差が含まれる場合には、溶出水の希釈率が異なることになる。そのため、一定量の溶出水に投入したばいじん量がばらつくと希釈率が変化するため、測定した重金属濃度やＰアルカリ度に基準希釈率との差異が生じることになる。本発明では、溶出水の希釈率の差から得られる所定の比率を用いて濃度補正を行い、適正濃度を求めるものである。
【００６２】
図５は、ばいじん量に誤差が含まれない場合の溶出水の基準希釈率をａとし、重量誤差によってこの希釈率ａからずれた場合について、重金属濃度やＰアルカリ度の濃度補正を行う例を示している。
【００６３】
溶出水の希釈率は、溶出容器に注入されている水量と、投入されるばいじんの計量値から算出される。ここで、溶出容器に注入されている水量は一定量であるため、ばいじんの計量値に応じて希釈率は変化することになる。図５では、基準計量値の場合の基準希釈率をａとし、計量偏差を含む場合の希釈率をａｍとしている（ステップＳ２１）。
【００６４】
この希釈率ａｍに対する重金属濃度は、図５の特性からｂｍとなる。希釈率に対する濃度の補正率は特性曲線の傾きｋで表すことができる。この傾きｋを用いることによって、濃度補正を行うことができる。図５において、希釈率ａｍと基準希釈率ａとの差を求め（ステップＳ２２）、この差に傾きｋを乗じることによって、濃度の補正量ｋ×（ａｍ−ａ）を求めることができる（ステップＳ２３）。
【００６５】
求めた濃度補正量ｋ×（ａｍ−ａ）により測定濃度ｂｍを補正することによって、補正濃度ｐｂ（＝ｂｍ−ｋ×（ａｍ−ａ））を求めることができる（ステップＳ２４）。
【００６６】
これによって、一定量の溶出水に投入したばいじん量が変化し、希釈率が変化しても、測定した重金属濃度やＰアルカリ度に所定の比率で濃度補正することによって、適正濃度を求めることができる。
【００６７】
なお、上記補正演算は一例であって、他の演算により補正を行うこともできる。又、上記補正演算は、上記関係をデータとして格納しておき、算出希釈率に応じて補正率あるいは補正値を読み出す構成とすることも、又、上記関係を関係式として格納しておき、算出希釈率に応じて演算を行う構成とすることもできる。又、上記補正演算は、分析部３１で行う構成とすることも、制御部３２で行う構成とすることもできる。
【００６８】
さらに、希釈率ａｍについては、計量部６で求める構成とすることもできる。
【図面の簡単な説明】
【００６９】
【図１】本発明の焼却炉のばいじん処理装置の概略を説明するためのブロック図である。
【図２】本発明の焼却炉のばいじん処理装置の採取計量部４の構成を説明するための図である。
【図３】本発明の焼却炉のばいじん処理装置の動作を説明するためのフローチャートである。
【図４】溶出水の希釈率と溶出する重金属の濃度及びＰアルカリ度との関係を示す図である。
【図５】本発明のばいじん処理装置の補正処理を説明するための図である。
【図６】本発明のばいじん処理装置の補正処理を説明するためのフローチャートである。
【図７】従来の焼却炉のばいじん処理装置において、ばいじんの分析を行う分析機構を説明するための概略ブロック図である。
【符号の説明】
【００７０】
１…ばいじん処理装置
２…ばいじん処理機構
３…分析前処理機構
４…採取計量部
５…採取部
６…計量部
７…排出部
８…計量部
９…集塵機
１０…分析前処理機構
１１…リターンコンベア
２１…ばいじんサイロ
２２…固化装置
２３，２４…ポンプ
２５…重金属安定剤
２６…ｐＨ調整剤
２７…灰ピット
３１…分析部
３２…制御部
５１…ホッパ
５２…循環ポンプ
６１…秤量ホッパ
６２…秤量機
６３…計量ホッパ
６４…排出ホッパ
７１…排出容器
７２…攪拌機
７３…排出バルブ
８１…受入ホッパ
８２…定量機
８３…計量ホッパ
８４，８５…ホッパ
【図１】
2006320906.tif 000003
【図２】
2006320906.tif 000004
【図３】
2006320906.tif 000005
【図４】
2006320906.tif 000006
【図５】
2006320906.tif 000007
【図６】
2006320906.tif 000008
【図７】
2006320906.tif 000009